(57)【特許請求の範囲】
【請求項１】
あらかじめ備えられた複数のタグを配列してディスプレイするメイン表示部と、
当該携帯用端末機に備えられた、ディスプレイ機能を有する複数のボタンであって、あらかじめ備えられた複数のコンテンツのうち、選択された前記ディスプレイされたタグを有する１つ以上のコンテンツをディスプレイする、複数のボタンと、を備え、
前記メイン表示部は、前記ディスプレイされたコンテンツのうち、前記ボタンの操作された結果に相応するコンテンツをディスプレイし、さらに、前記複数のボタンは、前記メイン表示部にディスプレイされたコンテンツが有する１つ以上のタグをディスプレイする
ことを特徴とする携帯用端末機。
【請求項２】
前記あらかじめ備えられたコンテンツは、前記端末機の操作を通じて生成された１つ以上のタグを有することを特徴とする請求項１に記載の携帯用端末機。
【請求項３】
前記メイン表示部は、さらに、前記複数のボタンにディスプレイされたタグのうち、選択されたタグを含む複数のタグをディスプレイすることを特徴とする請求項１に記載の携帯用端末機。
【請求項４】
メイン表示部と、ディスプレイ機能を有する複数のボタンとを備えた携帯用端末機で行われるディスプレイ方法において、
あらかじめ備えられた複数のタグを配列して前記メイン表示部にディスプレイする段階と、
あらかじめ備えられた複数のコンテンツのうち、選択された前記ディスプレイされたタグを有する１つ以上のコンテンツを前記複数のボタンにディスプレイする段階と、
前記ディスプレイされたコンテンツのうち、前記ボタンの操作された結果に相応するコンテンツを前記メイン表示部にディスプレイする段階と、
前記メイン表示部にディスプレイされたコンテンツが有する１つ以上のタグを前記複数のボタンにディスプレイする段階と、
を含むことを特徴とするディスプレイ方法。
【請求項５】
前記備えられたコンテンツは、前記端末機の操作を通じて生成された１つ以上のタグを有することを特徴とする請求項４に記載のディスプレイ方法。
【請求項６】
前記ディスプレイ方法は、
前記複数のボタンにディスプレイされたタグのうち、選択されたタグを含む複数のタグを、前記メイン表示部にディスプレイする段階をさらに含むことを特徴とする請求項４に記載のディスプレイ方法。
【請求項７】
メイン表示部と、ディスプレイ機能を有する複数のボタンとを備えた携帯用端末機で行われるディスプレイ方法をコンピュータで実行させるためのコンピュータプログラムを保存したコンピュータで読取り可能な記録媒体において、前記ディスプレイ方法は、
あらかじめ備えられた複数のタグを一定基準によって配列して、前記メイン表示部にディスプレイする段階と、
あらかじめ備えられた複数のコンテンツのうち、選択された前記ディスプレイされたタグを有する１つ以上のコンテンツを前記複数のボタンにディスプレイする段階と、
前記ディスプレイされたコンテンツのうち、前記ボタンの操作された結果に相応するコンテンツを前記メイン表示部にディスプレイする段階と、
前記メイン表示部にディスプレイされたコンテンツが有する１つ以上のタグを前記複数のボタンにディスプレイする段階と、
を含むことを特徴とするコンピュータで読取り可能な記録媒体。
【請求項８】
前記備えられたコンテンツは、前記端末機の操作を通じて生成されることを特徴とする請求項７に記載のコンピュータで読取り可能な記録媒体。
【請求項９】
前記備えられたコンテンツは、前記備えられたコンテンツの生成日を示すように自動生成されるか、前記備えられたコンテンツの生成当時の前記備えられたコンテンツを生成した前記携帯用端末機のＧＰＳ（Ｇｌｏｂａｌ  Ｐｏｓｉｔｉｏｎｉｎｇ  Ｓｙｓｔｅｍ）位置を示すように自動生成された、１つ以上のタグを有することを特徴とする請求項１に記載の携帯用端末機。
【請求項１０】
前記備えられたコンテンツは、前記備えられたコンテンツの生成日を示すように自動生成されるか、前記備えられたコンテンツの生成当時の前記備えられたコンテンツを生成した前記携帯用端末機のＧＰＳ位置を示すように自動生成された、１つ以上のタグを有することを特徴とする請求項４に記載のディスプレイ方法。
【請求項１１】
前記備えられたコンテンツは、前記備えられたコンテンツの生成日を示すように自動生成されるか、前記備えられたコンテンツの生成当時の前記備えられたコンテンツを生成した前記携帯用端末機のＧＰＳ位置を示すように自動生成された、１つ以上のタグを有することを特徴とする請求項７に記載のコンピュータで読取り可能な記録媒体。
【請求項１２】
前記あらかじめ備えられた複数のタグは、一定基準によって配列されてディスプレイされることを特徴とする請求項１に記載の携帯用端末機。
【請求項１３】
前記あらかじめ備えられた複数のタグは、アルファベット順に配列されるか、前記あらかじめ備えられた複数のタグ各々の生成順に配列されることを特徴とする請求項１２に記載の携帯用端末機。
【請求項１４】
前記あらかじめ備えられた複数のタグは、一定基準によって配列されてディスプレイされることを特徴とする請求項４に記載のディスプレイ方法。
【請求項１５】
前記あらかじめ備えられた複数のタグは、アルファベット順に配列されるか、前記あらかじめ備えられた複数のタグ各々の生成順に配列されることを特徴とする請求項１４に記載のディスプレイ方法。
【発明の詳細な説明】
【技術分野】
【０００１】
本発明は、携帯用端末機（ｔｅｒｍｉｎａｌ）に係り、特に、コンテンツを検索及びディスプレイする端末機に関する。
【背景技術】
【０００２】
ユーザは、携帯電話やデジタルカメラのような携帯用端末機を用いて、自分のみの多様なコンテンツを製作できる。写真、動映像、音楽は、このようなコンテンツの一例である。専門的なコンテンツ製作者ではない、一般のユーザにより製作されたコンテンツもオンライン上で多様なユーザにより容易に共有される最近の実情と噛み合い、一般のユーザのコンテンツ製作欲求は次第に増加していることが現実である。
【０００３】
このように携帯用端末機を通じて多様なコンテンツが製作されることによって、ユーザがその製作されたコンテンツのうち、探そうとする特定コンテンツを携帯用端末機上でさらに容易かつ簡便に捜し出せる方案が要求されている。
【発明の開示】
【発明が解決しようとする課題】
【０００４】
本発明が解決しようとする技術的課題は、ユーザがあらかじめ備えられた複数のコンテンツのうち、探そうとするコンテンツを携帯用端末機上でさらに容易かつ簡便に捜し出すことを可能にする携帯用端末機を提供するところにある。
【０００５】
本発明が解決しようとする他の技術的課題は、ユーザがあらかじめ備えられた複数のコンテンツのうち、探そうとするコンテンツを携帯用端末機上でさらに容易かつ簡便に捜し出すことを可能にするディスプレイ方法を提供するところにある。
【０００６】
本発明が解決しようとするさらに他の技術的課題は、ユーザがあらかじめ備えられた複数のコンテンツのうち、探そうとするコンテンツを携帯用端末機上でさらに容易かつ簡便に捜し出すことを可能にするコンピュータプログラムを保存したコンピュータで読取り可能な記録媒体を提供するところにある。
【課題を解決するための手段】
【０００７】
前記課題を達成するための本発明による携帯用端末機は、あらかじめ備えられた複数のタグを一定基準によって配列してディスプレイするメイン表示部と、当該携帯用端末機に備えられた、ディスプレイ機能を有する複数のボタンであって、あらかじめ備えられた複数のコンテンツのうち、選択された前記ディスプレイされたタグを有する１つ以上のコンテンツをディスプレイする、複数のボタンと、を備え、前記メイン表示部は、前記ディスプレイされたコンテンツのうち、前記ボタンの操作された結果に相応するコンテンツをディスプレイし、さらに、前記複数のボタンは、前記メイン表示部にディスプレイされたコンテンツが有する１つ以上のタグをディスプレイすることが望ましい。
【０００８】
前記課題を達成するための本発明による携帯用端末機は、あらかじめ備えられたコンテンツをディスプレイするメイン表示部と、当該携帯用端末機に備えられた、ディスプレイ機能を有する複数のボタンであって、あらかじめ備えられた複数のタグのうち、前記ディスプレイされたコンテンツが有する１つ以上のタグをディスプレイする、複数のボタンとを備えることが望ましい。
【０００９】
前記他の課題を達成するために、メイン表示部と、ディスプレイ機能を有する複数のボタンとを備えた携帯用端末機で行われる本発明によるディスプレイ方法は、あらかじめ備えられた複数のタグを一定基準によって配列して前記メイン表示部にディスプレイする段階と、あらかじめ備えられた複数のコンテンツのうち、選択された前記ディスプレイされたタグを有する１つ以上のコンテンツを前記複数のボタンにディスプレイする段階と、前記ディスプレイされたコンテンツのうち、前記ボタンの操作された結果に相応するコンテンツを前記メイン表示部にディスプレイする段階と、前記メイン表示部にディスプレイされたコンテンツが有する１つ以上のタグを前記複数のボタンにディスプレイする段階と、を含むことが望ましい。
【００１０】
前記他の課題を達成するために、メイン表示部と、ディスプレイ機能を有する複数のボタンとを備えた携帯用端末機で行われる本発明によるディスプレイ方法は、あらかじめ備えられたコンテンツを前記メイン表示部にディスプレイする段階と、あらかじめ備えられた複数のタグのうち、前記ディスプレイされたコンテンツが有する１つ以上のタグを前記複数のボタンにディスプレイする段階と、を含むことが望ましい。
【００１１】
前記さらに他の課題を達成するために、メイン表示部と、ディスプレイ機能を有する複数のボタンとを備えた携帯用端末機を動作させるためのコンピュータプログラムを保存した本発明によるコンピュータで読取り可能な記録媒体は、あらかじめ備えられた複数のタグを一定基準によって配列して前記メイン表示部にディスプレイする段階と、あらかじめ備えられた複数のコンテンツのうち、選択された前記ディスプレイされたタグを有する１つ以上のコンテンツを前記複数のボタンにディスプレイする段階と、前記ディスプレイされたコンテンツのうち、前記ボタンの操作された結果に相応するコンテンツを前記メイン表示部にディスプレイする段階と、前記メイン表示部にディスプレイされたコンテンツが有する１つ以上のタグを前記複数のボタンにディスプレイする段階と、を行うコンピュータプログラムを保存することが望ましい。
【００１２】
前記さらに他の課題を達成するために、メイン表示部と、ディスプレイ機能を有する複数のボタンとを備えた携帯用端末機を動作させるためのコンピュータプログラムを保存した本発明によるコンピュータで読取り可能な記録媒体は、あらかじめ備えられたコンテンツを前記メイン表示部にディスプレイする段階と、あらかじめ備えられた複数のタグのうち、前記ディスプレイされたコンテンツが有する１つ以上のタグを前記複数のボタンにディスプレイする段階とを行うコンピュータプログラムを保存することが望ましい。
【００１３】
本発明と本発明の動作上の利点及び本発明の実施によって達成される目的を十分に理解するためには、本発明の望ましい実施例を例示する添付図面及びその添付図面を説明する内容を参照せねばならない。
【発明の効果】
【００１４】
本発明による携帯用端末機及びそのためのディスプレイ方法は、携帯用端末機でディスプレイしようとするコンテンツごとにあらかじめ１つ以上のタグを割り当て、その端末機のメインウィンドウに該当するメイン表示部には、あらかじめ備えられた複数のタグをディスプレイし、これと同時にその端末機のサブウィンドウに該当する複数のボタンには、その端末機の内部や外部にあらかじめ備えられた複数のコンテンツのうち、ユーザにより選択されたそのディスプレイされたタグを有する１つ以上のコンテンツをサムネイルイメージの形態として自動でディスプレイすることで、ユーザがそのあらかじめ備えられたコンテンツ各々をメイン表示部にディスプレイさせつつ、いちいち見なくても、複数のボタンに自動でディスプレイされたコンテンツを見ることによって、そのあらかじめ備えられたコンテンツのうち、自身が探そうとするコンテンツを携帯用端末機上で容易かつ簡便に捜し出せる。この場合、ユーザがその探そうとするコンテンツをディスプレイするボタンを操作さえすれば、メイン表示部がその探そうとするコンテンツをディスプレイできるので、結果的にユーザは、若干のボタン操作だけでも、本発明による携帯用端末機にあらかじめ備えられたコンテンツのうち、探そうとするコンテンツを捜し出せることはもとより、その捜し出したコンテンツを端末機のメイン表示部を通じてディスプレイさせうる。
【００１５】
さらに、本発明による携帯用端末機及びそのためのディスプレイ方法は、メイン表示部にあるコンテンツがディスプレイされる場合、複数のボタンには、そのディスプレイされるコンテンツが有するタグを自動でディスプレイし、そのディスプレイされたコンテンツと関連してあらかじめ備えられたコンテンツのうち、ある特定コンテンツを探そうとするユーザが、複数のボタンにディスプレイされたタグのうち、１つを選択して、メイン表示部があらかじめ備えられたタグのうち、その選択されたタグを含む複数のタグをディスプレイし、複数のボタンをして、その選択されたタグを有するコンテンツをディスプレイさせることによって、その特定コンテンツを携帯用端末機上で容易かつ簡便に捜し出せる。
【発明を実施するための最良の形態】
【００１６】
以下、本発明による携帯用端末機及びそのためのディスプレイ方法を、添付した図面を参照して下記の通り説明する。
【００１７】
図１は、本発明による携帯用端末機を説明するためのブロック図であって、コンテンツ生成部１１０、タグ生成部１２０、保存部１３０、制御部１４０、メイン表示部１５０、及び複数のボタン１６０を含むことができる。ここで、制御部１４０ないし複数のボタン１６０は、携帯用携帯電話やＰＤＡ（Ｐｅｒｓｏｎａｌ  Ｄｉｇｉｔａｌ  Ａｓｓｉｓｔａｎｔ）のような携帯用端末機に備えられることが望ましい一方、コンテンツ生成部１１０ないし保存部１３０各々は、携帯用端末機の内部に備えられてもよく、外部（具体的には、携帯用端末機とネットワーク上に連結されうる場所）に備えられても良い。但し、以下では、説明の便宜上、コンテンツ生成部１１０ないしタグ保存部１３０は、携帯用端末機の内部に備えられると仮定する。
【００１８】
コンテンツ生成部１１０は、携帯用端末機で再生されうるコンテンツを生成する。写真、動映像、音楽は、このようなコンテンツの一例である。このようにコンテンツが生成されれば、コンテンツ生成部１１０は、タグ生成部１２０の動作を指示する。
【００１９】
タグ生成部１２０は、コンテンツ生成部１１０で生成されたコンテンツ毎にマッチングされる１つ以上のタグを生成する。ここで、タグとは、コンテンツのキーワードと取扱われる情報を意味する。
【００２０】
タグ生成部１２０は、携帯用端末機を操作するユーザが、頭をひねて、あるいは即座に思い出したタグをユーザによるボタン操作によって生成しうる。この場合、タグ生成部１２０が生成するタグは、コンテンツ製作者がそのコンテンツのキーワードと思い出した単語である。このように、タグは、コンテンツ製作者の主観が多く介入された情報であることが一般的である。
【００２１】
一方、タグ生成部１２０は、ユーザの意思に関係なく、あるタグをあらかじめ設定された方式によって自動で生成することもできる。例えば、タグ生成部１２０は、コンテンツの生成日を示すタグを生成してもよく、コンテンツ生成部１１０が備えられた携帯用端末機のＧＰＳ（Ｇｌｏｂａｌ  Ｐｏｓｉｔｉｏｎｉｎｇ  Ｓｙｓｔｅｍ）位置を示すタグを生成しても良い。この場合、タグ生成部１２０は、ユーザがタグの生成を認識していないうちにタグを生成しうる。
【００２２】
保存部１３０は、コンテンツ生成部１１０で生成されたコンテンツを、タグ生成部１２０で生成された１つ以上のタグとマッチングさせて保存する。本明細書で、コンテンツが有するタグとは、コンテンツにマッチングされたタグを意味する。
【００２３】
このような原理で、保存部１３０は、複数のコンテンツとそれにマッチングされた複数のタグを保存することができる。この際、保存部１３０は、その複数のタグの配列時に考慮される情報の配列情報も共に保存することが望ましい。ここで、配列情報は、多様でありえる。例えば、配列情報は、その複数のタグを五十音図順やアルファベット順（すなわち、ＡＢＣ順）に配列することを意味する情報であるか、その複数のタグを生成順に配列することを意味する情報であり得る。このように、保存部１３０は、複数の配列情報を保存することができる。
【００２４】
制御部１４０は、あらかじめ備えられた複数のタグとあらかじめ備えられた配列情報とをメイン表示部１５０に提供し、あらかじめ備えられた１つ以上のコンテンツを複数のボタン１６０に提供してもよく、あらかじめ備えられたコンテンツをメイン表示部１５０に提供し、あらかじめ備えられた１つ以上のタグを複数のボタン１６０に提供しても良い。ここで、あらかじめ備えられたタグとは、保存部１３０に保存されたタグを意味し、あらかじめ備えられたコンテンツとは、保存部１３０に保存されたタグを意味し、あらかじめ備えられた配列情報とは、保存部１３０に保存された配列情報を意味する。すなわち、制御部１４０は、メイン表示部１５０または複数のボタン１６０に提供しようとするタグ、配列情報、またはコンテンツを保存部１３０から読み出す。
【００２５】
メイン表示部１５０は、携帯用端末機のメインウィンドウ（ｍａｉｎ  ｗｉｎｄｏｗ）に該当し、複数のボタン１６０は、携帯用端末機のサブウィンドウ（ｓｕｂ  ｗｉｎｄｏｗ）に該当し、メイン表示部１５０と複数のボタン１６０は、いずれもディスプレイ機能を有する。ここで、複数のボタン１６０は、第１ボタン１６０−１、第２ボタン１６０−２，．．．，第Ｎボタン１６０−Ｎ（但し、Ｎは２以上の整数）で構成される。本発明による携帯用端末機は、このようにディスプレイ機能を有する複数のボタン１６０だけでなく、ディスプレイ機能を有さないボタン（図示せず）も共に備えうる。
【００２６】
メイン表示部１５０と複数のボタン１６０の動作をさらに具体的に説明すれば、次の通りである。
【００２７】
まず、メイン表示部１５０は、あらかじめ備えられた複数のタグを一定基準によって配列してディスプレイする。具体的に、メイン表示部１５０は、あらかじめ備えられた複数のタグをあらかじめ備えられた配列情報を考慮して配列し、配列されたタグをディスプレイする。この際、制御部１４０が提供した配列情報、すなわち、メイン表示部１５０が考慮する配列情報は、保存部１３０に保存された配列情報のうち、ユーザにより選択された配列情報であることが望ましい。もし、保存部１３０が、“複数のタグを五十音図順やＡＢＣ順に配列することを意味する配列情報”と“複数のタグを生成順に配列することを意味する配列情報”とをいずれも保存している場合、生成順に配列されてディスプレイされたタグより五十音図順やＡＢＣ順に配列されてディスプレイされたタグをさらに好むユーザは、端末機に備えられたボタンを適切に操作することによって、メイン表示部１５０が“複数のタグを五十音図順やＡＢＣ順に配列することを意味する配列情報”を考慮することを指示しうる。
【００２８】
一方、保存部１３０に保存されたタグが、メイン表示部１５０に一回にディスプレイされられないほど多いならば、メイン表示部１５０は、その保存されたタグのうち、一部のみを優先的にディスプレイし、ユーザが方向キーのようなボタンを操作する場合、その他の一部をディスプレイする。この際、方向キーは、ボタン１６０−ｎ（但し、ｎは１≦ｎ≦Ｎである整数）のようにディスプレイ機能を有するボタンであるか、ディスプレイ機能を有さないボタンであり得る。
【００２９】
このように、メイン表示部１５０が複数のタグをディスプレイすれば、ユーザは、そのディスプレイされたタグのうち、“あらかじめ備えられたコンテンツのうち、探そうとするコンテンツが有するタグであると推測されるタグ”を選択することが望ましい。このために、ユーザは、方向キーのようなボタンを操作しうる。一方、ユーザがそのディスプレイされたタグのうち、いかなるタグも選択していない時でも、そのディスプレイされたタグのうち、１つのタグ（例えば、そのディスプレイされたタグのうち、最初のタグ）は、デフォルト（ｄｅｆａｕｌｔ）と選択されている。
【００３０】
このように、メイン表示部１５０が複数のタグをディスプレイする場合、複数のボタン１６０はあらかじめ備えられた複数のコンテンツのうち、“そのディスプレイされたタグのうち、選択されたタグ”を有する１つ以上のコンテンツをディスプレイする。この際、メイン表示部１５０と複数のボタン１６０は、同時に動作することが望ましい。一方、ボタン１６０−ｎは、ディスプレイしようとするコンテンツが写真である場合、その写真をサムネイル（ｔｈｕｍｂｎａｉｌ）イメージの形態としてディスプレイし、ディスプレイしようとするコンテンツが動映像である場合、その動映像のスチール（ｓｔｉｌｌ）イメージをサムネイルイメージの形態としてディスプレイし、ディスプレイしようとするコンテンツが音楽である場合、その音楽を説明する情報（例えば、その音楽の題目）をディスプレイしうる。
【００３１】
一方、複数のボタン１６０にディスプレイされたコンテンツのうち、ユーザが探そうとするコンテンツが存在しないならば、ユーザは方向キーのようなボタンを操作し、現在選択されたタグではない他のタグを選択する。この場合、複数のボタン１６０は、あらかじめ備えられた複数のコンテンツのうち、“その他のタグ”を有する１つ以上のコンテンツをディスプレイする。また、メイン表示部１５０が前述したように、複数のタグをユーザが好む配列情報を考慮してディスプレイするならば、その他のタグは、その現在選択されたタグに最も隣接した位置にディスプレイされたタグであることが望ましい。
【００３２】
一方、複数のボタン１６０にディスプレイされたコンテンツのうち、ユーザが探そうとするコンテンツが存在するならば、ユーザはその探そうとするコンテンツがディスプレイされたボタンを操作することによって、その探そうとするコンテンツを選択する。
【００３３】
この場合、メイン表示部１５０は、タグをこれ以上ディスプレイせず、その探そうとするコンテンツを拡大してディスプレイする。これと同時に、複数のボタン１６０は、コンテンツをこれ以上ディスプレイせず、その探そうとするコンテンツが有する１つ以上のタグをディスプレイする。
【００３４】
その後、ユーザが、複数のボタン１６０にディスプレイされたタグのうち、あるタグを選択すれば、メイン表示部１５０は、コンテンツをこれ以上ディスプレイせず、あらかじめ備えられた複数のタグのうち、そのあるタグを含む複数のタグをディスプレイし、複数のボタン１６０は、タグをこれ以上ディスプレイせず、あらかじめ備えられたコンテンツのうち、そのあるタグを有する１つ以上のコンテンツをディスプレイする。
【００３５】
前述した制御部１４０ないし複数のボタン１６０の動作は、保存部１３０に保存されたコンテンツのうち、あるコンテンツを携帯用端末機上で探そうとするユーザが、その端末機に備えられた検索指示ボタン（図示せず）を操作する場合が開示され、ユーザがその端末機に備えられたいなかるボタンも操作しないまま、臨界時間が経過すれば終了することが望ましい。ここで、検索指示ボタン（図示せず）はボタン１６０−ｎのようにディスプレイ機能を有するボタンであるか、ディスプレイ機能を有さないボタンであり得る。
【００３６】
図２Ａ乃至図２Ｄは、本発明による携帯用端末機を説明するための参考図である。図２Ａ乃至図２Ｄに示された携帯用端末機は、スライドが開状態のスライド型携帯電話の上部本体２１０と下部本体２２０とを示す。メイン表示部２３０は、上部本体２１０に備えられ、複数のボタン２４０は下部本体２２０に備えられる。
【００３７】
図２Ａに示されたように、メイン表示部２３０は、あらかじめ備えられた複数のタグ（ｆｏｏｄ、ｔｅｍｐｌｅ、ｎｉｇｈｔ＿ｖｉｅｗ、ｓｅａ、ｓｋｙ、ｔｏｗｅｒ、ｂｌｕｅ、ｓｔａｔｕｅ、ｊａｐａｎ、ｓａｎｔｏｒｉｎｉ、ｓｗｉｓｓ、ｌａｓ＿ｖｅｇａｓ、ｐａｒｉｓ、ｓｙｄｅｙ、ｏｓａｋａ、ａｎｋｏｒ＿ｗａｔ、ｎｅｗ＿ｙｏｒｋ）をディスプレイする。この際、ｆｏｏｄ、ｔｅｍｐｌｅ、ｎｉｇｈｔ＿ｖｉｅｗ、ｓｅａ、ｓｋｙ、ｔｏｗｅｒ、ｂｌｕｅ、ｓｔａｔｕｅ、ｊａｐａｎ、ｓａｎｔｏｒｉｎｉ、ｓｗｉｓｓ、ｌａｓ＿ｖｅｇａｓ、ｐａｒｉｓ、ｓｙｄｅｙ、ｏｓａｋａ、ａｎｋｏｒ＿ｗａｔ、ｎｅｗ＿ｙｏｒｋという配列順序は、メイン表示部２３０が考慮した配列情報による順序である。図２Ａに示された内容から選択されたタグはｓｅａであるので、複数のボタン２４０はあらかじめ備えられた複数のコンテンツのうち、ｓｅａをタグとして有する１２個のコンテンツを図２Ａに示されたようにディスプレイできる。
【００３８】
同様に、ディスプレイされたタグのうち、選択されたタグが図２Ｂに示されたようにｓｅａではないｆｏｏｄであれば、複数のボタン２４０はあらかじめ備えられた複数のコンテンツのうち、ｆｏｏｄをタグとして有する１２個のコンテンツを図２Ｂに示されたようにディスプレイしうる。
【００３９】
もし、ユーザが探そうとするコンテンツが、図２Ｂに示されたボタン２５０にディスプレイされたコンテンツであれば、ユーザはボタン２５０を操作することによって、その探そうとするコンテンツを選択しうる。この場合、メイン表示部２３０は、図２Ｃに示されたようにその選択されたコンテンツを拡大してディスプレイし、複数のボタン２４０は、図２Ｃに示されたようにその選択されたコンテンツが有する１つ以上のタグ（ｆｏｏｄ、ｊａｐａｎ、Ａｐｐｅｔｉｚｅｒｓ、ｋａｎｂａｒｉｙａ）をディスプレイしうる。
【００４０】
図２Ｃに示されたメイン表示部２３０と複数のボタン２４０とを見ていたユーザは、その選択されたコンテンツと関連したコンテンツのうち、あるコンテンツをさらに探そうとする。例えば、その選択されたコンテンツが、ユーザ自身が以前に日本旅行時に食べた食べ物を撮影した写真であれば、ユーザはその当時に撮影した写真のうち、ある写真をふっと鑑賞しようとすることがあり、これにより、そのある写真を探そうとすることができる。
この場合、ユーザは、図２Ｃに示されたタグのうち、ｊａｐａｎを選択し、これにより、メイン表示部２３０はあらかじめ備えられたタグのうち、ｊａｐａｎを含む複数のタグを図２Ｄに示されたようにディスプレイし、複数のボタン２４０は、あらかじめ備えられたコンテンツのうち、ｊａｐａｎをタグとして有する１２個のコンテンツを図２Ｄに示されたようにディスプレイしうる。もし、ユーザが探そうとする、ある写真が図２Ｄに示されたボタン２６０にディスプレイされたコンテンツであれば、ユーザはボタン２６０を操作することによって、そのある写真を選択しうる。この場合、メイン表示部２３０はそのある写真を拡大してディスプレイし、複数のボタン２４０は、そのある写真が有する１つ以上のタグをディスプレイすることは言うまでもない。
【００４１】
図３は、本発明によるディスプレイ方法を説明するためのフローチャートであって、あらかじめ備えられた複数のコンテンツのうち、ユーザが探そうとするコンテンツを携帯用端末機上でさらに容易かつ簡便に検索可能にする段階（第３１０〜第３４０段階）を含みうる。
【００４２】
メイン表示部１５０は、あらかじめ備えられた複数のタグをディスプレイし、複数のボタン１６０はそのディスプレイされたタグのうち、選択されたタグを有する１つ以上のあらかじめ備えられたコンテンツをディスプレイする（第３１０段階）。
【００４３】
第３１０段階後に、制御部１４０は、携帯用端末機に備えられたいかなるボタンも操作しないまま、臨界時間が経過するかを判断する（第３２０段階）。
【００４４】
第３２０段階で経過していないと判断されれば、メイン表示部１５０は、第３１０段階でディスプレイされたコンテンツのうち、第３１０段階後に選択されたコンテンツをディスプレイし、複数のボタン１６０は、第３１０段階後に選択されたコンテンツが有する１つ以上のタグをディスプレイする（第３３０段階）。
【００４５】
第３３０段階後に、制御部１４０は、携帯用端末機に備えられたいかなるボタンも操作しないまま、臨界時間が経過するかを判断する（第３４０段階）。
【００４６】
もし、第３４０段階で経過していないと判断されれば、第３１０段階に進む。
【００４７】
一方、第３２０段階で経過すると判断されるか、第３４０段階で経過すると判断されると、本発明によるディスプレイ方法の実行は終了する。
【００４８】
前述した本発明によるディスプレイ方法をコンピュータで実行させるためのプログラムはコンピュータで読取り可能な記録媒体に保存されうる。ここで、コンピュータで読取り可能な記録媒体は、マグネチック記録媒体（例えば、ＲＯＭ、フロッピー（登録商標）ディスク、ハードディスクなど）、及び光学的判読媒体（例えば、ＣＤ−ＲＯＭ、ＤＶＤ（Ｄｉｇｉｔａｌ  Ｖｅｒｓａｔｉｌｅ  Ｄｉｓｃ）のような記録媒体を含む。
【００４９】
以上、本発明を望ましい実施例を中心に説明した。当業者ならば、本発明が本発明の本質的な特性から外れない範囲で変形された形態に具現できるということを理解できるであろう。したがって、開示された実施例は、限定的な観点ではなく説明的な観点で考慮されねばならない。本発明の範囲は、前述した説明でなく特許請求の範囲に現れており、それと同等な範囲内にあるあらゆる差異点は、本発明に含まれたものと解釈されねばならない。
【産業上の利用可能性】
【００５０】
本発明は、携帯用端末機関連の技術分野に好適に適用されうる。
【図面の簡単な説明】
【００５１】
【図１】本発明による携帯用端末機を説明するためのブロック図である。
【図２Ａ】本発明による携帯用端末機を説明するための参考図である。
【図２Ｂ】本発明による携帯用端末機を説明するための参考図である。
【図２Ｃ】本発明による携帯用端末機を説明するための参考図である。
【図２Ｄ】本発明による携帯用端末機を説明するための参考図である。
【図３】本発明によるディスプレイ方法を説明するためのフローチャートである。
【符号の説明】
【００５２】
１１０  コンテンツ生成部
１２０  タグ生成部
１３０  保存部
１４０  制御部
１５０、２３０  メイン表示部
１６０  複数のボタン
１６０＿１  第１ボタン
１６０＿２  第２ボタン
１６０＿Ｎ  第Ｎボタン
２１０  上部本体
２２０  下部本体
２４０、２５０、２６０  ボタン
【図１】
0005456977.tif 000002
【図３】
0005456977.tif 000003
【図２Ａ】
0005456977.tif 000004
【図２Ｂ】
0005456977.tif 000005
【図２Ｃ】
0005456977.tif 000006
【図２Ｄ】
0005456977.tif 000007